(57)【要約】      （修正有）【課題】自動温度調節制御される複数のバーナを備えたガスコンロにおいて、使用者に小火力から大火力への火力の変更が行われることを確実に伝えて安全性を確保することが可能で、かつ、自動調理の制御特性の低下を招くことのないガスコンロを提供する。【解決手段】複数のバーナのそれぞれの火力を大火力側に変更する場合に火力増加報知を行うための電子音として、他のバーナとは異なる形態の電子音が対応電子音として規定されており、複数のバーナのうち、一のバーナ３１について火力増加報知を行う場合には、当該バーナについて規定されている対応電子音で報知を行い、他のバーナ３２について前記火力増加報知を行う場合には、当該他のバーナについて規定されている対応電子音で報知を行う。自動温度調節制御の実行後に、所定のバーナの火力が大火力側に変更される旨を説明するための、音声によるバーナ対応電子音説明用報知を行う。【選択図】図１
2015224816.tif 000002
【特許請求の範囲】
【請求項１】
加熱用位置に位置する被加熱物を加熱するバーナと、
前記被加熱物の温度を検出する温度検出手段と、
前記温度検出手段の検出情報に基づいて前記バーナの作動を制御する燃焼制御手段とを備え、
前記燃焼制御手段は、前記バーナの燃焼中において前記温度検出手段が検出する温度を設定温度に維持するように前記バーナの火力を制御する自動温度調節制御を実行し、かつ、前記自動温度調節制御の実行中において前記温度検出手段が検出した温度の低下に伴い前記バーナの火力を大火力側に変更する場合には、前記バーナの火力を大火力側に変更する前に電子音による火力増加報知を行うように構成されたガスコンロであって、
前記燃焼制御手段により前記自動温度調節制御を実行する対象とされている前記バーナを複数備えており、
複数の前記バーナのそれぞれについて前記火力増加報知を行うための前記電子音として、複数の前記バーナのそれぞれに、互いに異なる電子音が対応電子音として規定されており、
複数の前記バーナのうち、一のバーナについて前記火力増加報知を行う場合には、当該バーナについて規定されている対応電子音で報知を行い、
他の前記バーナについて前記火力増加報知を行う場合には、当該他のバーナについて規定されている対応電子音で報知を行うこと
を特徴とするガスコンロ。
【請求項２】
前記一のバーナに対する前記自動温度調節制御が実行された場合には、前記一のバーナについて規定されている対応電子音で前記火力増加報知が行われるとその後に前記一のバーナの火力が大火力側に変更される旨を説明するための、音声による一のバーナ対応電子音説明用報知を行い、
前記他のバーナに対する前記自動温度調節制御が実行された場合には、前記他のバーナについて規定されている対応電子音で前記火力増加報知が行われるとその後に前記他のバーナの火力が大火力側に変更される旨を説明するための、音声による他のバーナ対応電子音説明用報知を行うように構成されていること
を特徴とする請求項１記載のガスコンロ。
【請求項３】
前記燃焼制御手段が、前記一のバーナに対する前記自動温度調節制御の実行中には、前記一のバーナ対応電子音説明用報知を所定の時間間隔で繰り返し、前記他のバーナに対する前記自動温度調節制御の実行中には、前記他のバーナ対応電子音説明用報知を所定の時間間隔で繰り返すように構成されていることを特徴とする請求項２記載のガスコンロ。
【請求項４】
前記燃焼制御手段は、前記自動温度調節制御の実行中において前記一のバーナに対応する温度検出手段が所定の温度上昇を検出した場合には、前記一のバーナの火力を小火力側に変更するとともに、その直後に前記一のバーナ対応電子音説明用報知を行い、前記自動温度調節制御の実行中において前記他のバーナに対応する温度検出手段が所定の温度上昇を検出した場合には、前記他のバーナの火力を小火力側に変更するとともに、その直後に前記他のバーナ対応電子音説明用報知を行うように構成されていることを特徴とする請求項２または３記載のガスコンロ。
【請求項５】
前記一のバーナ対応電子音説明用報知を行っている最中に、前記火力増加報知を行う必要が生じたときには、前記一のバーナ対応電子音説明用報知を中断して前記火力増加報知を行い、前記他のバーナ対応電子音説明用報知を行っている最中に、前記火力増加報知を行う必要が生じたときには、前記他のバーナ対応電子音説明用報知を中断して前記火力増加報知を行うことを特徴とする請求項３または４記載のガスコンロ。
【請求項６】
前記一のバーナ対応電子音説明用報知を中断して前記火力増加報知を行った場合には、前記火力増加報知の終了後に、改めて、前記一のバーナ対応電子音説明用報知を行い、前記他のバーナ対応電子音説明用報知を中断して前記火力増加報知を行った場合には、前記火力増加報知の終了後に、改めて、前記他のバーナ対応電子音説明用報知を行うことを特徴とする請求項５記載のガスコンロ。
【発明の詳細な説明】
【技術分野】
【０００１】
本発明は、ガスコンロに関し、詳しくは、火力変更操作を行う場合に、それを使用者に報知して、安全に火力の変更を行うことができるように構成されたガスコンロに関する。
【背景技術】
【０００２】
ガスコンロは、通常、燃料ガスの供給量を制御することにより、火力の調整が行われるように構成されている。
【０００３】
そのようなガスコンロとして、特許文献１には、調理容器の下面の温度を検知する温度センサを備え、調理容器の下面の温度を一定に保つように制御部による火力調節を行うことで自動調理を行うガスコンロにおいて、自動調理の実行中に温度検出手段が検出した温度の低下に伴いバーナの火力を大火力側に変更する場合に、バーナの火力を大火力側に変更する前に自動温度調節火力増加報知を行うように構成されたガスコンロが提案されている。
【０００４】
この特許文献１のガスコンロによれば、自動温度調節制御の実行中において温度検出手段が検出した温度の低下に伴ってバーナの火力を大火力側に変更する場合において、バーナの火力が小火力から大火力に変更される前に自動温度調節火力増加報知により、使用者は火力が大火力に変更されることを知らされるので、使用者が戸惑いを感じたり驚いたりすることがなく、自動調理による利便性を損なわないようにしながら、快適性を向上させることが可能になる。
【０００５】
なお、特許文献１のガスコンロでは、例えば、「大火力に変更します。」などの音声による報知を行うことで、火力が大火力に変更されることを使用者が確実に認識できるように構成されている。
【０００６】
しかしながら、特許文献１の場合、自動調理の実行中、温度検出手段が検出した温度の低下に伴いバーナの火力を大火力側に変更する場合に、「大火力に変更します。」などの音声報知が繰り返し行われたときには、繰り返される音声報知に対して、使用者が煩わしさを感じる場合がある。
【０００７】
また、「大火力に変更します。」などの音声による報知を行った後、バーナの火力を大火力側に変更するようにしていることから、温度検出手段による検出温度の低下に伴って、バーナの火力を大火力側に変更する必要が生じた時点から、「大火力に変更します。」などの音声報知に要する時間が経過した後に、バーナの火力を大火力側に変更することになる。そのため、火力を大火力側に変更するタイミングの遅れに起因して、自動調理に関する制御特性が悪くなり、アンダーシュートの発生するおそれがある。また、該アンダーシュートを回復するためにバーナによる加熱時間を長くすることが必要になったり、調理容器や内容物の熱容量によって熱伝達特性が遅れたりすることに起因して、オーバーシュートが発生するおそれもある。
【０００８】
そこで、上述の火力を大火力側に変更するタイミングの遅れによる不都合を解消するために、音声報知に代えて、例えば、「ピピピッ」などの電子音による報知を行うことによって報知に要する時間を短縮することが考えられる。しかし、電子音による報知の後にバーナの火力が大火力側に変更されることを使用者が失念している場合には、上記自動温度調節火力増加報知による効果が発揮されないという問題点がある。
【０００９】
また、２口以上の複数のバーナを備えるガスコンロの場合、音声を用いずに電子音だけで上記自動温度調節火力増加報知を行ったとしても、使用者は、複数のバーナのうちのいずれのバーナにおいて火力が大火力側に変更されるのかを認識することができず十分な安全性を確保することができないという問題点がある。
また、いずれのバーナが大火力側に変更された場合にも危険が及ばないようにするためには、例えば、すべてのバーナから遠ざかるなどの対応をとることが必要になり、使い勝手が悪いという問題点がある。
【００１０】
一方、上述の火力を大火力側に変更するタイミングの遅れによる不都合を解消するため、温度検出手段による測定温度の下降変化から温度下降勾配を算出し、この温度下降勾配に基づいて、火力増加温度に到達するまでの予測時間を求め、この予測時間に基づいて、火力変更を、音声による報知手段によって報知するようにした調理装置が提案されている（例えば、特許文献２）。
【００１１】
しかしながら、温度検出手段による測定温度の下降変化は、使用者による調理に関する行動の影響を受けやすいものであり、例えば、自動調理によって天婦羅調理を行っている場合など、調理容器に具材が投入されたときには、温度検出手段による測定温度が急激に低下するため、調理容器に具材が投入される前の温度下降勾配から求めた予測時間と調理容器に具材が投入された後の温度下降勾配から求めた予測時間とは異なることになる。したがって、温度検出手段による温度下降勾配に基づいて、火力増加温度に到達するまでの予測時間を求めることは困難であり、この信頼度の低い予測時間に基づいて、報知手段に火力変更を音声によって報知させたとしても、信頼性が低いという問題点がある。
【先行技術文献】
【特許文献】
【００１２】
【特許文献１】特開２０１３−０２４４７５号公報
【特許文献２】特開２０１３−１６４１９４号公報
【発明の概要】
【発明が解決しようとする課題】
【００１３】
本発明は、上記課題を解決するものであり、複数のバーナを備えたガスコンロにおいて、制御部により小火力から大火力への火力の変更が自動的に行われようとしているバーナに、使用者が不用意に接近した場合にも、使用者に戸惑いや驚きを感じさせることなく、小火力から大火力への火力の変更が行われることを確実に伝えることが可能で、かつ、自動調理の制御特性の低下を招くことのないガスコンロを提供することを目的とする。
【課題を解決するための手段】
【００１４】
上記の目的を達成するために、本発明（請求項１）のガスコンロは、
加熱用位置に位置する被加熱物を加熱するバーナと、
前記被加熱物の温度を検出する温度検出手段と、
前記温度検出手段の検出情報に基づいて前記バーナの作動を制御する燃焼制御手段とを備え、
前記燃焼制御手段は、前記バーナの燃焼中において前記温度検出手段が検出する温度を設定温度に維持するように前記バーナの火力を制御する自動温度調節制御を実行し、かつ、前記自動温度調節制御の実行中において前記温度検出手段が検出した温度の低下に伴い前記バーナの火力を大火力側に変更する場合には、前記バーナの火力を大火力側に変更する前に電子音による火力増加報知を行うように構成されたガスコンロであって、
前記燃焼制御手段により前記自動温度調節制御を実行する対象とされている前記バーナを複数備えており、
複数の前記バーナのそれぞれについて前記火力増加報知を行うための前記電子音として、複数の前記バーナのそれぞれに、互いに異なる電子音が対応電子音として規定されており、
複数の前記バーナのうち、一のバーナについて前記火力増加報知を行う場合には、当該バーナについて規定されている対応電子音で報知を行い、
他の前記バーナについて前記火力増加報知を行う場合には、当該他のバーナについて規定されている対応電子音で報知を行うこと
を特徴としている。
【００１５】
また、本発明のガスコンロにおいては、前記一のバーナに対する前記自動温度調節制御が実行された場合には、前記一のバーナについて規定されている対応電子音で前記火力増加報知が行われるとその後に前記一のバーナの火力が大火力側に変更される旨を説明するための、音声による一のバーナ対応電子音説明用報知を行い、
前記他のバーナに対する前記自動温度調節制御が実行された場合には、前記他のバーナについて規定されている対応電子音で前記火力増加報知が行われるとその後に前記他のバーナの火力が大火力側に変更される旨を説明するための、音声による他のバーナ対応電子音説明用報知を行うように構成されていることが好ましい。
【００１６】
また、本発明のガスコンロにおいては、前記燃焼制御手段が、前記一のバーナに対する前記自動温度調節制御の実行中には、前記一のバーナ対応電子音説明用報知を所定の時間間隔で繰り返し、前記他のバーナに対する前記自動温度調節制御の実行中には、前記他のバーナ対応電子音説明用報知を所定の時間間隔で繰り返すように構成されていることが好ましい。
【００１７】
また、本発明のガスコンロにおいて、前記燃焼制御手段は、前記自動温度調節制御の実行中において前記一のバーナに対応する温度検出手段が所定の温度上昇を検出した場合には、前記一のバーナの火力を小火力側に変更するとともに、その直後に前記一のバーナ対応電子音説明用報知を行い、前記自動温度調節制御の実行中において前記他のバーナに対応する温度検出手段が所定の温度上昇を検出した場合には、前記他のバーナの火力を小火力側に変更するとともに、その直後に前記他のバーナ対応電子音説明用報知を行うように構成されていることが好ましい。
【００１８】
また、本発明のガスコンロにおいては、前記一のバーナ対応電子音説明用報知を行っている最中に、前記火力増加報知を行う必要が生じたときには、前記一のバーナ対応電子音説明用報知を中断して前記火力増加報知を行い、前記他のバーナ対応電子音説明用報知を行っている最中に、前記火力増加報知を行う必要が生じたときには、前記他のバーナ対応電子音説明用報知を中断して前記火力増加報知を行うことことが好ましい。
【００１９】
また、本発明のガスコンロにおいては、前記一のバーナ対応電子音説明用報知を中断して前記火力増加報知を行った場合には、前記火力増加報知の終了後に、改めて、前記一のバーナ対応電子音説明用報知を行い、前記他のバーナ対応電子音説明用報知を中断して前記火力増加報知を行った場合には、前記火力増加報知の終了後に、改めて、前記他のバーナ対応電子音説明用報知を行うことが好ましい。
【発明の効果】
【００２０】
本発明（請求項１）のガスコンロは、上述のように、複数のバーナのそれぞれについて前記火力増加報知を行うための電子音として、複数のバーナのそれぞれに、互いに異なる電子音が対応電子音として規定されており、複数のバーナのうち、一のバーナについて火力増加報知を行う場合には、当該バーナについて規定されている対応電子音で報知を行い、他のバーナについて火力増加報知を行う場合には、当該他のバーナについて規定されている対応電子音で報知を行うようにしているので、ガスコンロが、燃焼制御手段により自動温度調節制御を実行する対象となるバーナを２口以上備えるものである場合にも、使用者が複数のバーナのうちのいずれのバーナの火力が大火力側に変更されるかを認識することが可能になる。その結果、燃焼制御手段により自動温度調節制御が実行される二口以上の複数のバーナを同時に使用する場合においても、安全性が高く、使い勝手のよいガスコンロを提供することが可能になる。
【００２１】
また、本願請求項２のガスコンロのように、一のバーナに対する自動温度調節制御が実行された場合には、一のバーナについて規定されている対応電子音で火力増加報知が行われるとその後に一のバーナの火力が大火力側に変更される旨を説明するための、音声による一のバーナ対応電子音説明用報知を行い、
他のバーナに対する自動温度調節制御が実行された場合には、他のバーナについて規定されている対応電子音で火力増加報知が行われるとその後に他のバーナの火力が大火力側に変更される旨を説明するための、音声による他のバーナ対応電子音説明用報知を行うように構成した場合、音声による一のバーナ対応電子音説明用報知が行われた後に一のバーナの火力が大火力側に変更され、音声による他のバーナ対応電子音説明用報知が行われた後に他のバーナの火力が大火力側に変更されることを使用者が失念することが抑制され、燃焼制御手段により小火力から大火力への火力の切り替えが自動的に行われようとしているバーナに、使用者が不用意に接近した場合にも、燃焼制御手段により小火力から大火力への火力の切り替えが行なわれることを使用者に的確に伝えて、使用者に戸惑いや驚きを与えたり、危険を感じさせたりすることを抑制することが可能になる。
【００２２】
また、本願請求項３のガスコンロのように、燃焼制御手段が、一のバーナに対する自動温度調節制御の実行中には、一のバーナ対応電子音説明用報知を所定の時間間隔で繰り返し、他のバーナに対する自動温度調節制御の実行中には、他のバーナ対応電子音説明用報知を所定の時間間隔で繰り返すように構成することにより、使用者が、一のバーナあるいは他のバーナについての対応電子音での報知の後に、バーナの火力が大火力側に変更されることを使用者が失念することをさらに確実に抑制して、本発明をより実効あらしめることができる。
【００２３】
また、本願請求項４のガスコンロのように、自動温度調節制御の実行中において一のバーナに対応する温度検出手段が所定の温度上昇を検出した場合には、一のバーナの火力を小火力側に変更するとともに、その直後に一のバーナ対応電子音説明用報知を行い、自動温度調節制御の実行中において他のバーナに対応する温度検出手段が所定の温度上昇を検出した場合には、他のバーナの火力を小火力側に変更するとともに、その直後に他のバーナ対応電子音説明用報知を行うように構成した場合、一のバーナあるいは他のバーナについての対応電子音での報知の後に、バーナの火力が大火力側に変更されることを使用者が失念することを抑制することが可能になる。
また、音声による電子音説明用報知を所定の時間間隔で繰り返す場合には、つぎの電子音説明用報知を行う時期と電子音による火力増加報知をおこなう時期とが重複することを抑制できる。
【００２４】
また、本願請求項５のガスコンロのように、一のバーナ対応電子音説明用報知を行っている最中に、火力増加報知を行う必要が生じたときには、一のバーナ対応電子音説明用報知を中断して火力増加報知を行い、他のバーナ対応電子音説明用報知を行っている最中に、火力増加報知を行う必要が生じたときには、他のバーナ対応電子音説明用報知を中断して火力増加報知を行うことにより、自動調理の制御特性の低下を抑制することができる。
【００２５】
また、本願請求項６のガスコンロのように、一のバーナ対応電子音説明用報知を中断して火力増加報知を行った場合には、火力増加報知の終了後に、改めて、一のバーナ対応電子音説明用報知を行い、他のバーナ対応電子音説明用報知を中断して火力増加報知を行った場合には、火力増加報知の終了後に、改めて、他のバーナ対応電子音説明用報知を行うようにした場合、電子音による火力増加報知の後にバーナの火力が大火力側に変更されることを使用者が失念することを確実に防止することができる。
【図面の簡単な説明】
【００２６】
【図１】本発明の一実施形態にかかるガスコンロの構成を示す平面図である。
【図２】本発明の一実施形態にかかるガスコンロを構成するバーナ周辺の側面図である。
【図３】本発明の一実施形態にかかるガスコンロにおける燃料供給路の説明図である。
【図４】本発明の一実施形態にかかるガスコンロを構成するバーナ周辺の、火力を大火力側に変更する前の状態の側面図である。
【図５】本発明の一実施形態にかかるガスコンロを構成するバーナ周辺の、火力を大火力側に変更した状態の側面図である。
【発明を実施するための形態】
【００２７】
以下、本発明の実施形態を示して、その特徴とするところを詳しく説明する。
［実施形態１］
図１は、本発明の一実施形態（実施形態１）にかかるガスコンロ（ガステーブルコンロ）の構成を示す平面図、図２は、実施形態１のガスコンロを構成するバーナ周辺の側面図、図３は燃料供給路の説明図である。
【００２８】
図１，２に示すように、本発明の実施形態にかかるガスコンロ（ガステーブルコンロ）Ａは、ガスコンロ本体１の上面がトッププレート２で覆われている。また、ガスコンロＡは、円筒状の外形（本実施形態では外径６６ｍｍ）を有する左バーナ（コンロバーナ）３１および右バーナ（コンロバーナ）３２の２口のバーナ（ガスバーナ）を備えており、トッププレート２に形成したバーナ用開口（図示せず）を介して、夫々のバーナの外周に形成された炎孔部３３をトッププレート２の上方に突出させている。
【００２９】
図１に示すように、ガスコンロＡにおいて左バーナ３１および右バーナ３２より前方側に位置しているその前面には、使用者が手動にて左バーナ３１の点消火操作を行うための左点消火操作部４１および使用者が手動にて右バーナ３２の点消火操作を行うための右点消火操作部４２が設けられている。
【００３０】
また、ガスコンロＡ内には、左点消火操作部４１および右点消火操作部４２の操作に基づいて、図３に示すように、ガス供給路８に備えるガスバルブ９の開閉および図示しないイグナイタの発停により左バーナ３１および右バーナ３２の点消火の制御を行い、また、ガス供給路８からの分岐路８ａに備える図示しないステッピングモータ駆動による流量制御弁１０の開度調節を行って左バーナ３１および右バーナ３２に供給されるガス量を調節して左バーナ３１および右バーナ３２の火力の制御を行う制御部（燃焼制御手段）１１を備えている。
【００３１】
また、ガスコンロＡはガスグリル部（図示せず）を備えており、ガスコンロＡの前面には、ガスグリル部の前面に備える扉（図示せず）を開閉するためのグリル取っ手４４およびガスグリル部の点消火操作を行うためのグリル点消火操作部４３を備えおり、ガスグリル部における調理に伴う排気はトッププレート２の後方に設けたグリル排気口４５から排出されるように構成されている。
【００３２】
トッププレート２上における左バーナ３１および右バーナ３２夫々の炎孔部３３の周囲には、コンロバーナ（左バーナ３１、右バーナ３２）によって加熱される調理容器６０を載置する五徳５０が配置してある。五徳５０は、調理容器６０を載置するための五徳爪５１を炎孔部３３の周囲に複数放射状に配置してあり、夫々の五徳爪５１の下端が円環状の五徳リング５２で結合されて、トッププレート２上に載置されている。
【００３３】
また、左バーナ３１および右バーナ３２は、調理容器６０の底面と接して、調理容器６０の温度を検出する調理容器温度検出手段（温度検出手段）７２を備えている。
【００３４】
なお、ガスコンロＡは左バーナ３１および右バーナ３２の２つのコンロバーナを備えるもので、左バーナ３１および右バーナ３２ともに、本発明の実施形態としては同様の形態を有するものであり、いずれも、制御部（燃焼制御手段）１１により自動温度調節制御を実行する対象とされている。
【００３５】
＜本発明のガスコンロの特徴構成＞
上述の制御部（燃焼制御手段）１１は、温度検出手段７２の検出情報に基づいて左バーナ３１および右バーナ３２の作動を制御するように構成されている。
【００３６】
制御部（燃焼制御手段）１１は、左バーナ３１の燃焼中において温度検出手段７２が検出する温度を温度設定部（図示せず）にて設定された設定温度（例えば、１８０℃）に維持するように左バーナ３１および右バーナ３２の火力を制御する自動温度調節制御を実行する。
【００３７】
そして、制御部（燃焼制御手段）１１は、前記自動温度調節制御の実行中において温度検出手段７２が検出した温度の低下（例えば、１７５℃まで低下）に伴い左バーナ３１および右バーナ３２の火力を大火力側に変更する場合に、左バーナ３１および右バーナ３２の火力を大火力側に変更する前に電子音による火力増加報知を行う。
【００３８】
この実施形態にかかるガスコンロＡは、自動温度調節制御の対象となるバーナとして、左バーナ３１および右バーナ３２の２つのバーナを備えており、左バーナ３１に対応する電子音として「ピピッ」という左バーナ対応電子音が定められており、右バーナ３２に対応する電子音として「ピピピッ」という右バーナ対応電子音が定められている。
【００３９】
すなわち、いずれのバーナについての火力増加報知であるかを認識できるように、火力増加報知を行うための電子音として、左バーナ３１と右バーナ３２のそれぞれに、互いに異なる電子音（左バーナ３１は「ピピッ」、右バーナ３２は「ピピピッ」）が対応電子音として規定されており、使用者は、その電子音で、火力増加報知がいずれのバーナについてのものであるかを直感的に認識することができるように構成されている。
【００４０】
なお、「ピピッ」という左バーナ対応電子音や、「ピピピッ」という右バーナ対応電子音による火力増加報知に要する時間は短時間であることから、「ピピッ」あるいは「ピピピッ」という電子音の後に、左バーナ３１、右バーナ３２の火力を大火力側に変更することにより、自動調理の制御特性を高く保つことができる。
【００４１】
また、制御部（燃焼制御手段）１１は、左バーナについての自動温度調節制御の実行開始後、「ピピッという対応電子音による火力増加報知が行われた後に左バーナ３１の火力が大火力側に変更される」旨の音声による左バーナ対応電子音説明用報知を行う。左バーナ対応電子音説明用報知は、具体的には、例えば「温調を開始します。ピピッとなったら左コンロの炎が大きくなります。」というような音声によって行われる。
また、右バーナについての自動温度調節制御の実行開始後、例えば、「ピピピッという対応電子音による火力増加報知が行われた後に右バーナ３２の火力が大火力側に変更される」旨の音声による右バーナ対応電子音説明用報知を行う。右バーナ対応電子音説明用報知は、具体的には、例えば「温調を開始します。ピピピッとなったら右コンロの炎が大きくなります。」というような音声によって行われる。
【００４２】
このように構成されることで、「ピピッ」という左バーナ対応電子音が発報された後に左バーナ３１の火力が大火力側に変更され、「ピピピッ」という右バーナ対応電子音が発報された後に右バーナ３２の火力が大火力側に変更されることが使用者に明確に伝えられるため、使用者が火力増加報知の後に、バーナの火力が大火力側に変更されることを失念することが確実に抑制される。その結果、制御部１１により小火力から大火力への火力の切り替えが自動的に行われようとしているバーナ（左バーナ３１および／または右バーナ３２）に、使用者が不用意に接近した場合にも、使用者に戸惑いや驚きを感じさせることなく、小火力から大火力への火力の変更が行われることを確実に伝えて、バーナから離れることを促すことができる。
【００４３】
また、この実施形態のガスコンロＡにおいて、制御部（燃焼制御手段）１１は、左バーナ３１の自動温度調節制御の実行中に、音声による左バーナ対応電子音説明用報知を所定の時間間隔（例えば、３分間隔）で繰り返すように構成されている。
また、制御部（燃焼制御手段）１１は、同様に、右バーナ３１の自動温度調節制御の実行中に、音声による右バーナ対応電子音説明用報知を所定の時間間隔（例えば、３分間隔）で繰り返すように構成されている。
このように音声による左バーナ対応電子音説明用報知および右バーナ対応電子音説明用報知を所定の時間間隔で繰り返すことで、左バーナ３１についての対応電子音による火力増加報知の後に左バーナ３１の火力が大火力側に変更されること、右バーナ３２についての対応電子音による火力増加報知の後に右バーナ３２の火力が大火力側に変更されることを使用者により確実に認識させることができる。
【００４４】
また、この実施形態のガスコンロＡにおいては、音声による左バーナ対応電子音説明用報知、つまり、「ピピッという電子音が発報された後に左バーナ３１の火力が大火力側に変更される」旨の音声報知を行っている最中に、火力増加報知を行う必要が生じた場合、すなわち、温度検出手段７２が検出した温度の低下（例えば、１７５℃まで低下）により、左バーナ３１の火力を大火力側に変更する必要が生じた場合には、音声による左バーナ対応電子音説明用報知の途中であっても、当該電子音説明用報知を中断して左バーナ３１についての対応電子音による火力増加報知を行い、この火力増加報知の終了後に、改めて、音声による左バーナ対応電子音説明用報知を行う。
また、音声による右バーナ対応電子音説明用報知、つまり、例えば、「ピピピッという電子音が発報された後に右バーナ３２の火力が大火力側に変更される」というような音声報知を行っている最中に、火力増加報知を行う必要が生じた場合、すなわち、温度検出手段７２が検出した温度の低下（例えば、１７５℃まで低下）により、右バーナ３２の火力を大火力側に変更する必要が生じた場合には、音声による右バーナ対応電子音説明用報知の途中であっても、当該電子音説明用報知を中断して右バーナ３２についての対応電子音による火力増加報知を行い、この火力増加報知の終了後に、改めて、音声による右バーナ対応電子音説明用報知を行う。
これによって、自動調理の制御特性を低下させることなく、安全に大火力側への火力の変更を行うことができる。
【００４５】
なお、音声による左バーナ対応電子音説明用報知、あるいは、右バーナ対応電子音説明用報知が中断され、「ピピッ、あるいは、ピピピッという電子音が発報された後に左バーナ３１、あるいは、右バーナ３２の火力が大火力側に変更される」旨の一連の音声報知が途切れると、使用者は違和感を感じることが考えられる。これに対し、この実施形態のガスコンロＡでは、制御部（燃焼制御手段）１１が、自動温度調節制御の実行中において温度検出手段７２が検出した温度の上昇（例えば、１８２℃まで上昇）に伴い左バーナ３１、あるいは、右バーナ３２の火力を小火力側に変更した直後に、左バーナ対応電子音説明用報知、あるいは、右バーナ対応電子音説明用報知を行うことにより、左バーナ３１の火力を小火力側に変更した直後に左バーナ３１の火力を大火力側に変更する必要が生じる蓋然性は低く、また、右バーナ３２の火力を小火力側に変更した直後に右バーナ３２の火力を大火力側に変更する必要が生じる蓋然性は低く、電子音説明用報知が上述のように中断される蓋然性が低いことから、使用者が違和感を感じることを減じるとともに、その後所定の間隔で左バーナ対応電子音説明用報知、あるいは、右バーナ対応電子音説明用報知を行うようにして、次の左バーナ対応電子音説明用報知および右バーナ対応電子音説明用報知を行う時期と、左バーナ３１および右バーナ３２についての対応電子音による火力増加報知を行う時期とが重複することが抑制されるようにしている。
【００４６】
また、図４は、火力が大火力側になると火炎８１の先端が調理容器６０の底面の外周からはみ出しやすい、比較的小さい調理容器６０が用いられている場合において、火力が大火力側に変更される前の、左バーナ３１の周辺の状態を示す図であり、図５は、火力が大火力側に変更された後の、左バーナ３１の周辺の状態を示す図である。
図４，５に示すように、比較的小さい調理容器６０が用いられている場合において、火力が小火力側（図４参照）から、大火力側（図５参照）に変更されると、火炎８１の先端が調理容器６０の底面の外周からはみ出しやすくなるが、この実施形態のガスコンロＡにおいては、上述のように、左バーナ３１（および右バーナ３２）についての自動温度調節制御の実行中における左バーナ３１（および右バーナ３２）についての火力増加報知を、左バーナ３１（および右バーナ３２）に対応する電子音によって行うとともに、左バーナ３１（および右バーナ３２）についての自動温度調節制御の実行後に、音声による左バーナ対応電子音説明用報知（および右バーナ対応電子音説明用報知）を行うようにしているので、使用者は、上述の電子音による左バーナ３１（および右バーナ３２）についての火力増加報知と、音声による左バーナ対応電子音説明用報知（および右バーナ対応電子音説明用報知）により、左バーナ３１（および右バーナ３２）について、大火力側への火力の変更が行われることを確実に認識することができるため、使用者が不用意に調理容器６０の底面の外周からはみ出した火炎８１に近づきすぎる危険を回避して、安全性を確保することができる。
【００４７】
上記実施形態では、本発明をガスコンロ（ガステーブルコンロ）に適用した場合について説明したが、本発明はビルトインコンロにも適用することが可能である。
【００４８】
また、上記実施形態では、ガスコンロが備えるバーナの数が２つである場合を例にとって説明したが、本発明はバーナの数は２つに限定されるものではなく、３口以上のガスコンロにも適用することが可能である。
【００４９】
また、本発明を３口以上のバーナを備えたガスコンロに適用する場合、２口のバーナ、例えば、ガスコンロの前方に位置する２口のバーナについてのみ、本発明における一のバーナや他のバーナとして適用し、ガスコンロの後方に位置するバーナは、自動温度調節制御の対象としない（すなわち、本発明における一のバーナや他のバーナとしては扱わない）ように構成してもよい。
【００５０】
また、上記実施形態では、音声による電子音説明用報知を繰り返す所定の時間間隔を３分としたが、この時間間隔は３分に限られるものではなく、それ以外の時間間隔とすることも可能である。
【００５１】
本発明はさらにその他の点においても上記実施形態に限定されるものではなく、本発明の範囲内において種々の変形を加えることが可能である。
【符号の説明】
【００５２】
Ａ    ガスコンロ（ガステーブルコンロ）
１    ガスコンロ本体
２    トッププレート
８    ガス供給路
９    ガスバルブ
１０  流量制御弁
１１  制御部（燃焼制御手段）
３１  左バーナ（コンロバーナ）
３２  右バーナ（コンロバーナ）
３３  炎孔部
４１  左点消火操作部
４２  右点消火操作部
４３  グリル点消火操作部
４４  グリル取っ手
４５  グリル排気口
５０  五徳
５１  五徳爪
５２  五徳リング
６０  調理容器
７２  調理容器温度検出手段（温度検出手段）
８１  火炎
【図１】
2015224816.tif 000003
【図２】
2015224816.tif 000004
【図３】
2015224816.tif 000005
【図４】
2015224816.tif 000006
【図５】
2015224816.tif 000007